(57)【要約】【課題】開閉体の閉戸時における押圧式スイッチの可動接片の揺動支点部に対する瞬間的な摩擦力を抑制してスイッチの損傷を防止すること。【解決手段】ケースにその先端部が突出するように設けられたトリガーと、このトリガーの内端部と押圧式スイッチとの間に位置するようにケース内に配設された連動片とを備え、開閉体の閉戸時、トリガーは、その先端部が戸枠側に衝突するとケース内の付勢手段の付勢力に抗して後退動し、また、連動片はトリガーに連動して所要量回転して押圧式スイッチの可動接片の表面を押圧し、これにより押圧式スイッチが作動する錠前におけるスイッチの押圧構造に於いて、連動片には、材質自体により鉤状押圧部が内側に変位可能な弾性押圧片を一体的に設け、開閉体の閉戸時、トリガーが後退して連動片が連動すると、鉤状押圧部の折り曲げ先端部が可動接片の表面を押圧すること。【選択図】図６
2009155925.tif 000002
【特許請求の範囲】
【請求項１】
ケースにその先端部が突出するように設けられたトリガーと、このトリガーの内端部と押圧式スイッチとの間に位置するように前記ケース内に配設された連動片とを備え、開閉体の閉戸時、前記トリガーは、その先端部が戸枠側に衝突するとケース内の付勢手段の付勢力に抗して後退動し、また、前記連動片はトリガーに連動して所要量回転して前記押圧式スイッチの可動接片の表面を押圧し、これにより押圧式スイッチが作動する錠前におけるスイッチの押圧構造に於いて、前記連動片には、材質自体により鉤状押圧部が内側に変位可能な弾性押圧片を一体的に設け、前記開閉体の閉戸時、前記トリガーが後退して前記連動片が連動すると、前記鉤状押圧部の折り曲げ先端部が前記可動接片の表面を押圧することを特徴とする錠前におけるスイッチの押圧構造。
【請求項２】
請求項１に於いて、弾性押圧片は、トリガーの内端部と係合する当り部を有する連動片に一体的に固定される取り付け基端部と、この取り付け基端部の一側面から延びる鉤状押圧部とから成ることを特徴とする錠前におけるスイッチの押圧構造。
【請求項３】
請求項１に於いて、押圧式スイッチはマイクロスイッチであり、そのレバー式可動接片が垂直方向へと揺動変位することができるように、ケースのフロントの裏側の近傍に縦設されていることを特徴とする錠前におけるスイッチの押圧構造。
【請求項４】
請求項１に於いて、鉤状押圧部は、取り付け基端部の一側面の根元部分から該一側面に交差方向に所定量延びる長板状支持部と、長板状支持部に連設し、かつ中間部分で所要間隙を有するように折り曲げ形成したＵターン部分と、Ｕターン部分に連設すると共に、前記所要間隙を保ちながら、かつ前記長板状支持部と対向状態に前記取り付け基端部側へと所定量延びる長板状の先端部とから成ることを特徴とする錠前におけるスイッチの押圧構造。
【発明の詳細な説明】
【技術分野】
【０００１】
本発明は錠前におけるスイッチの押圧構造に関し、特に、ドア、引戸等の開閉体に取り付けた錠前におけるスイッチの押圧構造に関する。
【背景技術】
【０００２】
図１乃至図５は、特許文献１に記載の錠前におけるスイッチの押圧構造に関する。この特許文献１は出願人が提案したものである。本願発明は、例えば特許文献１の記載の発明に適用するので、ここでは、図１乃至図５を参照にして、錠前におけるスイッチの押圧構造Ｘを説明する。なお、本願発明は、特許文献１の記載の実施例に限定されるものではない。
【０００３】
まず、図１は発明の実施の環境を示す概略説明図（作動前）である。図２は錠前の外観構成を斜視から示す説明図である。図３は押圧式スイッチ１０と連動片１５と連動片用の支軸１７を示す。これらの図１乃至３に於いて、１は戸枠、１ａは戸枠の縦枠、２は縦枠１ａに取付けた受け具である。受け具２は、トロヨケ２ａと、ストライク２ｂと、鎌片用の掛合片２ｃから構成されている。
【０００４】
次に、３は戸枠１に対して開閉する開閉体（例えば引戸）、３ａは開閉体の戸先、４は開閉体の戸先に設けられた（例えば彫り込み型）ケース、５はケースに水平移動自在に取付けられたトリガー、５ａはトリガーの先端部、５ｂはトリガーの内端部、６はケース内に配設され、かつ前記トリガーの先端部がケースのフロント７から常時突出するように付勢する付勢手段、そして、８はトリガーに連動する鎌片である。ケース４並びにトリガー５の具体的構成は、公知事項なので、その詳細な説明は割愛する。
【０００５】
次に、符号１０は、ケース４のフロント７の近傍に縦状態に設けられた押圧式スイッチで、この押圧式スイッチ１０は、揺動支点部１１からスイッチボックス１３の一側面１３ａに対して略垂直状態と成る位置まで揺動変位可能なレバー式の可動接片１２を有する。
次に、符号１５はトリガー５の内端部５ｂと押圧式スイッチ１０との間に位置するようにケース４内に配設された連動片で、この連動片（特許文献１のスイングアーム５１）１５は、図３で示すように、幅広板部１６の中央部に支軸１７用の軸孔１８を有する。そして、この軸孔１８を基準とする右側の端部には、トリガーの内端部５ｂの衝突面、上面、傾斜面等の係合部９と係合する指先状の当り部（係合突起）１９を有し、一方、軸孔１８を基準とする上端部には、指先状の連設部分を介して端面アングル形状（例えばＬ字形状）の押圧部２０が設けられている。なお、符号２１は、押圧式スイッチ１０とトリガー５との間に設けられ、かつ連動片１５の幅広板部１６の縁部と当接するストッパー、２２は制御装置、２３はリード線である。
【０００６】
このように、従来の錠前のスイッチの押圧構造は、一般的に、「錠前のケース４に、その先端部５ａが突出するように設けられたトリガー５と、このトリガーの内端部５ｂと押圧式スイッチ１０との間に位置するように前記ケース４内に配設された連動片１５とを備えている」。
【０００７】
次に、図４及び図５は、上記のスイッチの押圧構造の作用を概略的に示している。図４及び図５は、トリガー５と連動片１５との関係を示す各概略説明図であるが、前者はトリガー５の係合部（衝突面）９が連動片１５の当り部（係合突起）１９に当たる瞬間を示し、また、後者は、連動片１５が反時計方向に回動した直後に、時計方向へと若干回転してトリガー５の上面に乗っかった状態を示す。
【０００８】
付言すると、閉戸時、トリガー５の先端部５ａが戸枠１側の掛合片２ｃに衝突すると、後退動するトリガー５の衝突面９が連動片１５の当り部１９に衝突する（図４）ので、連動片１５は支軸１７を支点に制御装置がスイッチ１０の閉扉信号を拾う方向へと回動し、連動片１５の上端部の押圧部２０は、スイッチ１０の可動接触片１２を押し込む（図５）。この時、スイッチ１０はオン（ＯＮ）となるので、前記制御装置２２は、リード線２３を介して閉扉信号を拾う。そして、連動片１５の当り部１９は、トリガー５の内端部５ｂの上面に乗り上がり、そのまま支持される。
【０００９】
このように、従来の錠前のスイッチの押圧構造は、一般的に、「開閉体３の閉戸時、トリガー５は、その先端部５ａが戸枠１側に衝突すると、ケース４内の付勢手段６の付勢力に抗して後退動し、また、連動片１５はトリガー５に連動して所要量回転して押圧式スイッチ１０のレバー式可動接片１２の表面を押圧し、これにより押圧式スイッチ１０が作動する」。
【００１０】
ところで、特許文献１に記載のスイッチの押圧構造は、トリガー５の内端部と押圧式スイッチ１０との間に配設された連動片１５を介して前記押圧式スイッチ１０の可動接触片１２の表面を押圧するものであるが、前記可動接触片１２を押圧する部分（押圧部）２０にバネ性（弾性）を持たせていない。
【００１１】
したがって、押圧式スイッチ１０の可動接触片１２を直接的に押圧するタイプ、又は特許文献１のように連動片１５を介して間接的に押圧するタイプ、のいずれであっても、可動接触片１２を押圧する部分（押圧部）２０にバネ性（弾性）を持たせていない場合には、レバー式可動接片（アクチュエータ）の揺動支点部１１に対する瞬間的な摩擦力（摩擦振動）を緩和することができないという問題点がある。
【特許文献１】特開２００５−２７３２号公報
【発明の開示】
【発明が解決しようとする課題】
【００１２】
本発明の所期の目的は、特許文献１の問題点に鑑み、開閉体の閉戸時における押圧式スイッチの可動接片（アクチュエータ）の揺動支点部に対する瞬間的な摩擦力（摩擦振動）を抑制（緩和）してスイッチの損傷を防止することができると共に、「瞬断」防止の効果も得ることである。第２の目的は、トリガーの内端部に弾性押圧片を簡単に取付けることができることである。
【課題を解決するための手段】
【００１３】
本発明の錠前におけるスイッチの押圧構造は、ケースにその先端部が突出するように設けられたトリガーと、このトリガーの内端部と押圧式スイッチとの間に位置するように前記ケース内に配設された連動片とを備え、開閉体の閉戸時、前記トリガーは、その先端部が戸枠側に衝突するとケース内の付勢手段の付勢力に抗して後退動し、また、前記連動片はトリガーに連動して所要量回転して前記押圧式スイッチの可動接片の表面を押圧し、これにより押圧式スイッチが作動する錠前におけるスイッチの押圧構造に於いて、前記連動片には、材質自体により鉤状押圧部が内側に変位可能な弾性押圧片を一体的に設け、前記開閉体の閉戸時、前記トリガーが後退して前記連動片が連動すると、前記鉤状押圧部の折り曲げ先端部が前記可動接片の表面を押圧することを特徴とする。
【発明の効果】
【００１４】
（ａ）開閉体の閉戸時における押圧式スイッチの可動接片（アクチュエータ）の揺動支点部１１に対する瞬間的な摩擦力（摩擦振動）を抑制してスイッチの損傷を防止することができる。また、スイッチの作動時、弾性押圧片の弾性変位復帰力がレバー式可動接片１２に常に作用しているので、可動接片の可動接点が瞬間的に離れる現象（ここでは「瞬断」という）を防止することができる。
（ｂ）弾性押圧片を、簡単に取付けることができる。
【発明を実施するための最良の形態】
【００１５】
以下、図６乃至図１０に示す本発明を実施するための最良の形態により説明する。
【００１６】
（１）発明の実施の環境並びに構成部材
本発明の実施の環境並びに構成部材は、図１乃至図５に記載の一実施例を援用する。したがって、ここでは、図６で示すように、同一の構成部材には同一の符号を付して重複する説明を割愛する。
【００１７】
（２）主な相違点
図１乃至図５に記載の一実施例と主な相違点は、押圧式スイッチ１０の可動接片１２に対する連動片１５Ａの押圧部にバネ性を持たせたことである。図６乃至図８は、本発明の主に異なる部分を示し、また、図９及び図１０は、その異なる部分の作用を示す。
【００１８】
すなわち、本発明のスイッチの押圧構造Ｘの連動片１５Ａには、材質自体により鉤状押圧部３２が内側に変位可能な弾性押圧片３０を一体的に設け、開閉体３の閉戸時、トリガー５後退して前記連動片１５Ａが連動すると、前記鉤状押圧部の折り曲げ先端部が押圧式スイッチ１０の可動接片１２の表面を押圧する。図６では、押圧式スイッチ１０と共に、弾性押圧片３０を有する連動片１５Ａ（連動片１５Ａは仮想線）の平面視の拡大を付加している。また図７では、連動片１５Ａと弾性押圧片３０とを分離し、前記弾性押圧片３０の鉤状押圧部と押圧式スイッチ１０の可動接片１２との位置関係を示している。さらに、図８の（ａ）は、弾性押圧片３０を含む連動片１５Ａの正面図、図８の（ｂ）は、図８の（ａ）を基準とした右側面図である。
【００１９】
さて、本実施例の押圧式スイッチ１０もマイクロスイッチであり、そのレバー式可動接片１２が垂直状態へと揺動変位することができるように、ケース４のフロント７の裏側の近傍に縦設されている。ここで、図７を参照にして弾性押圧片３０を有する連動片１５Ａを説明すると、両部材３０、１５Ａは、互いに一体的に結合する前は、「ニ物品」の成形品である。連動片１５Ａは、弾性変位機能及び弾性復帰機能が不要なので、硬質の合成樹脂材で板状体に形成されているのに対して、弾性押圧片３０は、弾性変位機能、弾性復帰機能及び剛性機能が必要なので、これらの機能を満たす合成樹脂材で所定形状に形成されている。
【００２０】
連動片１５Ａは、従来の一実施例の連動片１５と同様に幅広板部１６の中央部に支軸１７用の軸孔１８を有している。また、幅広板部１６の一端部（下端部の右側）に、トリガー５の係合部９用の当り部１９が突出形成されている。さらに、前記当り部１９とは反対の端部側は突起状部分を含む取付け部１６ａとなっており、この取付け部１６ａには、上下方向に複数個（例えば２個）の嵌合孔２５が形成されている。
【００２１】
一方、弾性押圧片３０は、逆向きＬ字形状の取り付け基端部３１と、この取り付け基端部３１の一端部（上端部）の一側面からＵ字形状に突出する鉤状押圧部３２とから成り、前記取り付け基端部３１には、連動片１５Ａの軸孔１８と符合する軸１７用の軸孔３３と、連動片１５Ａの嵌合孔２５にそれぞれ固定的に嵌合する複数個（例えば２個）の取付け突起３４が設けられている。
【００２２】
しかして、連動片１５Ａの嵌合孔２５に弾性押圧片３０の取付け突起３４を緊嵌状態に嵌め込んで、弾性押圧片３０の取り付け基端部３１を連動片１５Ａの取り付け基端部３１に一体的に係合すると、前記取り付け基端部３１の一側面と、連動片１５Ａの取付け部１６ａの一側面とは重なり合った状態となるので、弾性押圧片３０の取り付け基端部３１は弾性変位機能を発揮しないものの、図６で示すように、平面視Ｕ字形状に見える鉤状押圧部３２は、前記取り付け基端部３１や連動片１５Ａに重なり合うように関与していないので、弾性変位機能を発揮することができる。
【００２３】
ここで、「鉤状押圧部３２」の具体的構成を説明すると、符号３２ａは取り付け基端部３１の一端部の一側面の根元部分から該一側面に交差（例えば直交）方向に所定量延びる長板状支持部、符号３２ｂは長板状支持部３２ａに連設し、かつ中間部分で所要間隙３５を有するように折り曲げ形成したＵターン部分、符号３２ｃは、Ｕターン部分３２ｂに連設すると共に、前記所要間隙３５を保ちながら、かつ前記長板状支持部３２ａと対向状態に前記取り付け基端部３１側へと所定量延びる長板状の先端部である。本実施例では、前記長板状の先端部３２ｃの外面がレバー式可動接片１２の先端部の表面を押圧する。
【００２４】
（３）作用
基本的な作用は、従来の一実施例と同様である。すなわち、開閉体３の閉戸時、トリガー５後退して連動片１５Ａが支軸１７を介して連動回転すると、鉤状押圧部３２の折り曲げ先端部３２ｃが可動接片１２の表面を押圧する。図９及び図１０は、トリガー５と連動片１５Ａとの関係、並びに連動片１５Ａの弾性押圧片３０とレバー式可動接片１２との関係を示す各概略説明図である。図９及び図１０は、従来の一実施例と同様なので、重複する説明は割愛するが、本実施例も、トリガー５の先端部５ａが戸枠側の掛合片２ｃに衝突して、付勢手段６の付勢力に抗して後退すると、図９及び図１０で示すようにトリガー５の後退動に連動して所定量矢印方向に回転する。
【００２５】
ところで、リガー５の衝突時、トリガー５には外部（縦枠）から衝撃力を受け、この衝撃力は、押圧式スイッチ１０のレバー式可動接片（アクチュエータ）１２の揺動支点部１１に対する瞬間的な摩擦力（摩擦振動）となるが、この瞬間的な摩擦力は、弾性押圧片３０の鉤状押圧部３２の弾性変位機能により抑制され、その結果、押圧式スイッチ１０のスイッチの損傷を防止することができる。また、作動時、弾性押圧片３０は、鉤状押圧部３２は弾性変位復帰機能を有するので、前述した「瞬断」防止の効果も発揮する。
【実施例】
【００２６】
発明の実施の形態で示した実施例に於いて、弾性押圧片３０は、連動片１５Ａとは別個に成形された成形品であり、取付け基端部３１を介して連動片１５Ａの取付け部分１６ａに緊嵌状態に固定されているが、この取付け構造は一例である。例えば接着、固着、螺着等任意の固定構造に設計変更することができる。要は、鉤状弾性押圧部３２が連動片１５Ａにダイレクトに設けられていれば良い。したがって、設計如何によっては、連動片１５Ａに鉤状弾性押圧部３２を一体に成形することもできる。また、本実施例の鉤状弾性押圧部３２は、図６で示すように、平面視Ｕ字形状に見えるように形成されているが、弾性押圧部３２の形状は、発明の目的を逸脱しない範囲に於いて適宜に設計変更できる事項である。
【産業上の利用可能性】
【００２７】
本発明は、主に錠前や建具の業界で利用される。
【図面の簡単な説明】
【００２８】
図１乃至図５は、従来の一実施例を示す各説明図。図６乃至図１０は、本発明の最良の実施例を示す各説明図。
【図１】発明の実施の環境を示す概略説明図（開戸時、作動前）。
【図２】発明の実施の環境を示す概略説明図（錠前の斜視図）。
【図３】要部の説明図。
【図４】開扉時の作動前から閉戸時の作動時になった状態を示す概略説明図。
【図５】トリガーの係合部が連動片の当り部に当たる瞬間の説明図。
【図６】連動片が反時計方向に回動した直後に、時計方向へと若干回転してトリガーの上面に乗っかった状態の説明図（閉扉時、作動時）。要部の平面視の拡大を付加。
【図７】要部の連動片１５Ａと弾性押圧片３０とを分離した斜視からの概略説明図。
【図８】図８（ａ）は、弾性押圧片３０を含む連動片１５Ａの正面図、図８（ｂ）は、図８の（ａ）を基準とした右側面図。
【図９】図４と同様の説明図。
【図１０】図５と同様の説明図。
【符号の説明】
【００２９】
Ｘ…スイッチの押圧構造、1…戸枠、１ａ…縦枠、２…受け具、２ｃ…掛合片、３…開閉体、３ａ…戸先、４…ケース、５…トリガー、５ａ…トリガーの先端部、５ｂ…トリガーの内端部、５…付勢手段、６…付勢手段、７…フロント、９…トリガーの係合部、１０…押圧式スイッチ、１１…揺動支点部、１２…可動接片、１３…スイッチボックス、１３ａ…一側面、１５、１５Ａ…連動片、１６…幅広板部、１６ａ…取付け部、１７…支軸、１８、３３…軸孔、１９…当り部、２０…押圧部、２２…制御装置、２５…嵌合孔、３０…弾性押圧片、３１…取り付け基端部、３２…鉤状押圧部、３２ａ…長板状の支持部、３２ｃ…長板状の先端部、３４…取付け突起、３５…間隙。
【図１】
2009155925.tif 000003
【図２】
2009155925.tif 000004
【図３】
2009155925.tif 000005
【図４】
2009155925.tif 000006
【図５】
2009155925.tif 000007
【図６】
2009155925.tif 000008
【図７】
2009155925.tif 000009
【図８】
2009155925.tif 000010
【図９】
2009155925.tif 000011
【図１０】
2009155925.tif 000012